(57)【要約】【課題】  表示対象となるモノクロのリモコン装置の表示形態がカラーのＴＶ部の表示形態と大きく異なる場合でも、カラーの表示データを表示する。【解決手段】  ＣＰＵ１１は、カラオケの文字列のうち、歌詞やせりふのカラーの表示データをモノクロの表示データに変換すると共に、カラーの表示データの表示画面のフォーマットをリモコン装置１の小さい画面のフォーマットに変換し、その変換した表示データをリモコン装置のモノクロのＬＣＤ表示部に出力する。【選択図】      図２
2008116516.tif 000002
【特許請求の範囲】
【請求項１】
文字や図形を含む画像のカラーの表示データをモノクロの表示データに変換すると共に、当該カラーの表示データの表示画面のフォーマットを他の異なる表示画面のフォーマットに変換するデータ変換手段と、
前記データ変換手段によって変換された表示データを前記異なる表示画面を有するモノクロの表示手段に出力するデータ出力手段と、
を備えたことを特徴とする情報処理装置。
【請求項２】
前記データ出力手段は、前記データ変換手段によって変換された表示データをリモコン装置の表示部に無線信号で送信することを特徴とする請求項１に記載の情報処理装置。
【請求項３】
前記データ変換手段は、カラオケのカラーの表示データをモノクロの表示データに変換することを特徴とする請求項１又は２に記載の情報処理装置。
【請求項４】
文字や図形を含む画像のカラーの表示データをモノクロの表示データに変換すると共に、当該カラーの表示データの表示画面のフォーマットを他の異なる表示画面のフォーマットに変換するステップＡと、
前記ステップＡによって変換された表示データを前記異なる表示画面を有するモノクロの表示手段に出力するステップＢと、
をコンピュータに実行させることを特徴とする情報処理のプログラム。
【発明の詳細な説明】
【技術分野】
【０００１】
本発明は、情報処理装置および情報処理のプログラムに関し、特に、入力された表示データを所定の表示装置に表示可能なように変換する情報処理装置および情報処理のプログラムに関するものである。
【背景技術】
【０００２】
従来、文字や画像のカラーの表示データをモノクロの表示データに変換する技術として、いくつかの提案がなされている。
例えば、ある提案のシステム装置においては、モノクロ多階調の表示器を有するノート型パーソナルコンピュータ等の可搬型情報処理がカラー表示できないため、カラー信号除去フィルタによってテレビ等の外部映像信号の色信号を除去して、モノクロの輝度信号を表示する。（特許文献１参照）
また、ある提案の媒体処理装置においては、多色カラー印刷の画像処理、文字認識処理などの各処理時間が掛かりすぎるため、カラーＣＣＤセンサを有するライン型のイメージリーダが文字又は罫線および図形の明暗を、赤、緑、青の明暗信号として読み取った後、そのカラーの明暗信号をモノクロ多値データに変換する。（特許文献２参照）
また、ある提案の表示装置においては、モノクロ表示機能あるいはツートンカラー表示機能のみしか表示できない場合に、表示すべきデータの色情報の塗りつぶしを異なる塗りつぶしパターンに加工して、モノクロ表示あるいはツートンカラー表示に変換する。（特許文献３参照）
また、ある提案の情報処理装置においては、プリンタと通信可能なプリンタドライバを介して、描画情報から印刷データを生成処理する際に、各ページのＲＧＢ特性がモノクロでない場合も、モノクロに変換して出力する。（特許文献４参照）
【特許文献１】特開平０７−１４６７７５公報
【特許文献２】特開２００１−１７１８６４号公報
【特許文献３】特開２００４−２７６４１２号公報
【特許文献４】特開２００５−２１６０３０号公報
【発明の開示】
【発明が解決しようとする課題】
【０００３】
しかしながら、上記特許文献１および４を含めた従来の技術においては、文字や画像のカラーの表示データをモノクロの表示データに変換しているが、モノクロの表示装置の表示形態がカラーの表示装置の表示形態と大きく異なる場合には、変換したモノクロの表示データを完全に表示することができない。
本発明は、このような従来の課題を解決するためのものであり、表示対象となるモノクロの表示装置の表示形態がカラーの表示装置の表示形態と大きく異なる場合でも、文字や図形を含む画像のカラーの表示データを表示できるようにすることを目的とする。
【課題を解決するための手段】
【０００４】
請求項１に記載の情報処理装置は、文字や図形を含む画像のカラーの表示データをモノクロの表示データに変換すると共に、当該カラーの表示データの表示画面のフォーマットを他の異なる表示画面のフォーマットに変換するデータ変換手段と、前記データ変換手段によって変換された表示データを前記異なる表示画面を有するモノクロの表示手段に出力するデータ出力手段と、を備えたことを特徴とする。
【０００５】
請求項１の情報処理装置において、請求項２に記載したように、前記データ出力手段は、前記データ変換手段によって変換された表示データをリモコン装置の表示部に無線信号で送信することを特徴とする。
【０００６】
請求項１又は２の情報処理装置において、請求項３に記載したように、前記データ変換手段は、カラオケのカラーの表示データをモノクロの表示データに変換することを特徴とする。
【０００７】
請求項４に記載の情報処理のプログラムは、文字や図形を含む画像のカラーの表示データをモノクロの表示データに変換すると共に、当該カラーの表示データの表示画面のフォーマットを他の異なる表示画面のフォーマットに変換するステップＡと、前記ステップＡによって変換された表示データを前記異なる表示画面を有するモノクロの表示手段に出力するステップＢと、をコンピュータに実行させることを特徴とする。
【発明の効果】
【０００８】
本発明の情報処理装置および情報処理のプログラムによれば、表示対象となるモノクロの表示装置の表示形態がカラーの表示装置の表示形態と大きく異なる場合でも、文字や図形を含む画像のカラーの表示データを表示できるという効果が得られる。
【発明を実施するための最良の形態】
【０００９】
以下、本発明による情報処理装置の実施形態について、カラオケシステムを例に採って、図を参照して説明する。
図１は、実施形態におけるカラオケシステムのリモコン装置１の外観図である。図１に示すように、リモコン装置１にはスイッチ部２および液晶表示器であるＬＣＤ表示部３が設けられている。スイッチ部２には、カラオケ演奏に必要な各種のスイッチ、例えば、歌手名スイッチ２ａ、曲名スイッチ２ｂ、文字、数字、記号を入力する文字入力スイッチ２ｃ、カーソルスイッチ２ｄ、決定スイッチ２ｅ、戻るスイッチ２ｆ、演奏スイッチ（一時停止スイッチと兼用）２ｇ、演奏停止スイッチ２ｈなどがある。ＬＣＤ表示部３は、カラオケ演奏に関する文字等を表示する。
【００１０】
図２は、実施形態におけるカラオケシステムの構成を示すブロック図である。
図２において、ＣＰＵ１１は、システムバス１２を介して、図１に示したスイッチ部２、ＬＣＤ表示部３のほかに、プログラムメモリ１３、ワークメモリ１４、曲データメモリ１５、ＦＭ受信部１６、ＡＶ（オーディオヴィジュアル）出力部１７、および音源２０に接続されており、これら各部との間でデータおよびコマンドを授受しながら、このカラオケシステム全体を制御する。
【００１１】
プログラムメモリ１３は、ＣＰＵ１１によって実行される情報処理のプログラムやその他の制御プログラム、および初期データなどをあらかじめ記憶している。ワークメモリ１４は、ＣＰＵ１１によって処理されるデータを一時的に記憶する。曲データメモリ１５は、カラオケ曲のデータベースであり、歌手名のデータ、曲名のデータ、並びに各曲に対応する演奏曲データ（伴奏曲データ）、歌詞データ、および背景画面のデータを記憶している。音源２０は、曲データメモリ１５から読み出された演奏曲データに基づいて楽音波形データを生成する。ＦＭ受信部１６は、マイク１８から送信されるＦＭ電波を受信して、その中に含まれている歌い手の音声信号を復調する機能、および、復調した音声信号をアナログからデジタルに変換してＣＰＵ１１に入力する機能を備えている。ＡＶ出力部１７は、接続されているＴＶ（テレビ）部１９に対して、リモコン装置１によって選択された曲に応じて、曲データメモリ１５から検索された歌手名、曲名、歌詞、背景画面のデータを出力するとともに、音源２０によって生成された楽音波形データとマイク１８から入力された音声データを合成し、デジタルからアナログ変換して出力する。
【００１２】
図３は、図１のリモコン装置１のＬＣＤ表示部３に表示される文字の表示フォーマットを示す図である。ＬＣＤ表示部３の画面はＴＶ部１９の画面に比べて小さいので、図３に示すように、表示フォーマットは上下２行で１行が１３文字になっている。このように、リモコン装置１のＬＣＤ表示部３の表示形態がＴＶ部１９の表示部の表示形態と大きく異なるので、文字数が２６文字を超える場合には、分割して表示しなければならない。
【００１３】
図４は、カラオケの歌詞の文字やその他の文字を含む歌詞イベントのデータを示している。図４に示すように、歌詞イベントは、１行分の歌詞の文字列、文字列を識別する文字列ＩＤ、文字列の表示開始タイミング、ＴＶ画面上の表示位置、表示文字色、文字列タイプ、消去タイミングおよび消去文字列ＩＤ、色塗りタイミングのターゲット文字列ＩＤおよび色塗り位置データなどで構成されている。その中で、文字列タイプは、「０」が歌詞データ、「１」が曲名、歌手名のタイトル情報、「３」がルビデータ（フリガナ）、「４」がせりふデータに分かれている。
【００１４】
次に、図１のカラオケシステムの動作について、ＣＰＵ１１によって実行される図５ないし図１２のフローチャートに基づいて説明する。
図５は、メインルーチンのフローチャートである。所定のイニシャライズ（ステップＳＡ１）を行った後、曲検索処理を実行する（ステップＳＡ２）。この曲検索処理で検索された演奏曲が、リモコン装置１の決定スイッチ２ｅの操作によって決定されたか否かを判別する（ステップＳＡ３）。演奏曲が決定されたときは、演奏処理を実行する（ステップＳＡ４）。この後は、その他の処理を行って（ステップＳＡ５）、ステップＳＡ２に移行して、上記処理を繰り返す。
【００１５】
図６および図７は、図５のメインルーチンにおけるステップＳＡ４の演奏処理のフローチャートである。
図６のフローチャートにおいて、リモコン装置１の演奏スイッチ２ｇがオンされたか否かを判別し（ステップＳＢ１）、このスイッチがオンされたときは、対応する曲イベントおよび歌詞イベントの開始アドレスを指定する（ステップＳＢ２）。次に、背景画面、歌詞をＡＶ出力部１７へ供給する（ステップＳＢ３）。次に、アドレスで指定される歌詞イベントのタイミングをワークメモリ１４のレジスタＴ１にストアし（ステップＳＢ４）、アドレスで指定される曲イベントのタイミングをレジスタＴ２にストアする（ステップＳＢ５）。そして、タイマインタラプトを解除する（ステップＳＢ６）。
【００１６】
この後は、Ｔ１の値が「０」に達したか否かを判別し（ステップＳＢ７）、Ｔ１の値が「０」に達したときは、アドレスで指定される歌詞イベントをワークメモリ１４のバッファにストアし（ステップＳＢ８）、アドレスで指定される曲イベントをＡＶ出力部１７に供給する（ステップＳＢ９）。次に、リモコン装置１のＬＣＤ表示部３に歌詞イベントのデータを送信してＬＣＤ歌詞表示処理を実行する（ステップＳＢ１０）。次に、アドレスを歩進し（ステップＳＢ１１）、アドレスで指定される歌詞イベントのタイミングをＴ１にストアし（ステップＳＢ１２）。
【００１７】
ステップＳＢ１２の後、又は、ステップＳＢ７において、Ｔ１の値がまだ「０」に達しない場合には、図７のフローチャートにおいて、Ｔ２の値が「０」に達したか否かを判別する（ステップＳＢ１３）。Ｔ２の値が「０」に達したときは、曲イベントを読み出し（ステップＳＢ１４）、音源２０に送付する（ステップＳＢ１５）。次に、音源２０で生成された音データとマイク１８から入力された音声入力をＡＶ出力部１７へ送付する（ステップＳＢ１６）。次に、アドレスを歩進し（ステップＳＢ１７）、読み出されたイベントの時間データをＴ２にストアする（ステップＳＢ１８）。
【００１８】
ステップＳＢ１８の後、又は、ステップＳＢ１３において、Ｔ２の値がまだ「０」に達していない場合には、曲終了であるか又はリモコン装置１のスイッチ操作によって曲が停止されたか否かを判別する（ステップＳＢ１９）。曲終了および曲停止でない場合には、図６のステップＳＢ７に移行して、図７のステップＳＢ１９までのループ処理を繰り返す。ステップＳＢ１９において、曲終了又は曲停止と判別したときは、停止処理を行って（ステップＳＢ２０）、図５のメインルーチンに戻る。
【００１９】
図８ないし図１２は、図６のステップＳＢ１０におけるＬＣＤ歌詞表示処理のフローチャートである。
図８において、ワークメモリ１４のバッファにストアされたイベントは歌詞表示イベントか否かを判別し（ステップＳＣ１）、歌詞表示イベントである場合には、さらにそのイベントの文字列タイプが「３（せりふ）」であるか否かを判別する（ステップＳＣ２）。文字列タイプが「３」である場合には、そのイベントが最初のせりふの歌詞であるか否かを判別し（ステップＳＣ３）、最初のせりふの歌詞である場合には、連続するせりふの文字列の範囲を検索するために、歌詞イベントを先読みし（ステップＳＣ４）、先読みした歌詞イベントに含まれる時間の累積をレジスタＴ３にする（ステップＳＣ５）。
【００２０】
次に、先読みした歌詞イベントの文字列タイプが「３」であるか否かを判別し（ステップＳＣ６）、文字列タイプが「３」である場合には、その文字色はカラーであるか否かを判別する（ステップＳＣ７ａ）。文字色がカラーである場合には、そのままリモコン装置１のＬＣＤ表示部３に表示したときに、モノクロの階調表示になるので背景との明度差が小さい場合には、表示された文字の認識が困難になる。そこで、文字色がカラーである場合には、モノクロに変換する（ステップＳＣ７ｂ）。ステップＳＣ７ａにおいて、イベントの文字色がモノクロである場合、又は、ステップＳＣ７ｂにおいて、カラーの文字列をモノクロの文字列に変換した場合には、その文字列を歌詞表示バッファにストアする（ステップＳＣ７ｃ）。この後は、ステップＳＣ４に移行して、歌詞イベントの先読みを繰り返す。なお、ステップＳＣ３において、最初のせりふの歌詞でない場合、すなわち、すでに先読みを行ってバッファにストアされているせりふの歌詞である場合には、そのイベントを削除して（ステップＳＣ１１）、図６の演奏処理のフローチャートに戻る。
【００２１】
先読みした歌詞イベントの文字列タイプがステップＳＣ６において「３」でない場合には、その文字列タイプが「０」の歌詞イベントであるか否かを判別する（ステップＳＣ８）。文字列タイプが「０」でない場合にはステップＳＣ４に移行して、歌詞イベントの先読みを繰り返すが、文字列タイプが「０」である場合には、先読みした歌詞イベントにおける連続するせりふの文字列が終了し、歌詞の文字列のイベントに変わったことになるので、バッファにストアされたせりふの歌詞行数でＴ３の値を乗算した値をレジスタｔにストアし、さらにｔの値をレジスタＴ４にストアする（ステップＳＣ９）。すなわち、図３に示したＬＣＤ表示部３における１３文字１行の表示時間を算出してＴ４にストアする。そして、フラグＳＦを「１」にセットする（ステップＳＣ１０）。
【００２２】
この後は、ＬＣＤに表示中の歌詞があるか否かを判別し（ステップＳＣ１２）、表示中の歌詞がある場合には、未表示の行があるか否かを判別する（ステップＳＣ１３）。未表示の行がある場合には、せりふ歌詞表示イベントの最初の１行に対する表示フラグを「表示中」にセットする（ステップＳＣ１４）。ステップＳＣ１２において、ＬＣＤに表示中の歌詞がない場合には、せりふ歌詞表示イベントの先頭の２行分に対する表示フラグを「表示中」にセットする（ステップＳＣ１５）。
【００２３】
図８のステップＳＣ２において、文字列タイプが「３」でない場合には、図１０において、歌詞表示バッファにストアする（ステップＳＣ１６ａ）。そして、文字列タイプが「１（タイトル情報）」又は「２（ルビ）」であるか否かを判別する（ステップＳＣ１６ｂ）。文字列タイプが「１」又は「２」である場合には、その文字列をバッファから消去する（ステップＳＣ１７）。そして、図６の演奏処理のフローチャートに戻る。
【００２４】
ステップＳＣ１６ｂにおいて、文字列タイプが「１」でも「２」でもない場合、すなわち文字列タイプが「０（歌詞）」である場合には、ＬＣＤ表示部に表示中の歌詞があるか否かを判別し（ステップＳＣ１８ｂ）、表示中の歌詞がある場合には、未表示エリアがあるか否かを判別する（ステップＳＣ１９）。未表示エリアがある場合には、バッファ内にある歌詞表示エリアの１行分の表示フラグを「表示中」にセットする（ステップＳＣ２０）。ＬＣＤ表示部に表示中の歌詞がない場合には、バッファ内にある歌詞表示エリアの２行分の表示フラグを「表示中」にセットする（ステップＳＣ２１）。
【００２５】
ステップＳＣ２０若しくはステップＳＣ２１においてフラグをセットした後、又はステップＳＣ１９において未表示の行がない場合、又は、図９のステップＳＣ１４若しくはステップＳＣ１５においてフラグをセットした後、又はステップＳＣ１３において未表示の行がない場合には、図１０において、バッファ内の文字色はカラーであるか否かを判別する（ステップＳＣ２２ａ）。文字色がカラーである場合には、これをモノクロに変換する（ステップＳＣ２２ｂ）。バッファ内の文字色がモノクロである場合、又は、カラーの文字列をモノクロに変換した場合には、バッファ内のイベントの内で「表示中」のフラグのものをリモコン装置１のＬＣＤ表示部３に送信して表示させる（ステップＳＣ２２ｃ）。そして、図６の演奏処理のフローチャートに戻る。
【００２６】
図８のステップＳＣ１において、ストアされたイベントが歌詞表示イベントでない場合には、図１１において、現在の歌詞を強調して表示するために、そのターゲット文字列ＩＤを指定する色塗りイベントであるか否かを判別する（ステップＳＣ２３）。色塗りイベントである場合には、該当する歌詞行の該当位置にカーソルを表示し（ステップＳＣ２４）、イベントのターゲット文字列ＩＤが前と異なるか否かを判別する（ステップＳＣ２５）。前と異なる場合には、前のＩＤを有する歌詞イベントをバッファから削除し（ステップＳＣ２６）、削除されたイベントに対する歌詞表示を消去する（ステップＳＣ２７）。この後、又はステップＳＣ２５においてイベントのターゲットＩＤが前の同じである場合には、図６の演奏処理のフローチャートに戻る。
【００２７】
ステップＳＣ２３において、ストアされたイベントが色塗りイベントでない場合には、そのイベントが歌詞消去イベントであるか否かを判別する（ステップＳＣ２８）。そのイベントが歌詞消去イベントである場合には、該当する歌詞表示イベントをバッファから削除して（ステップＳＣ２９）、図６の演奏処理のフローチャートに戻る。一方、そのイベントが歌詞消去イベントでない場合には、図８において、イベントを削除して、図６の演奏処理のフローチャートに戻る。
【００２８】
図１２は、タイマインタラプトのフローチャートである。一定時間ごとのタイマインタラプトがあると、Ｔ２の値をデクリメントし（ステップＳＤ１）、Ｔ１の値をデクリメントする（ステップＳＤ２）。次に、フラグＳＦが「１」であるか否かを判別し（ステップＳＤ３）、ＳＦが「０」である場合にはこのフローチャートを終了してメインルーチンに戻るが、ＳＦが「１」である場合には、Ｔ３およびＴ４の値をデクリメントする（ステップＳＤ４）。そして、デクリメントされたＴ４の値が「０」に達したか否かを判別する（ステップＳＤ５）。すなわち、表示しているせりふの歌詞行の更新のタイミングに達したか否かを判別する。
【００２９】
Ｔ４の値が「０」に達したときは、バッファ内にあるせりふの歌詞行で「表示中」のフラグを「表示済」にセットして（ステップＳＤ６）、バッファ内にあるせりふの歌詞行で「未表示」のフラグを「表示中」にセットする（ステップＳＤ７）。次に、値が「０」に達したＴ４に、図８のステップＳＣ９で算出したｔの値を新たにストアして、次回のせりふの歌詞行の更新のタイミングに備え（ステップＳＤ８）、「表示中」のせりふの歌詞のみを表示する（ステップＳＤ９）。この後、又は、ステップＳＤ５においてＴ４の値がまだ「０」に達していない場合には、Ｔ３の値が「０」に達したか否かを判別する（ステップＳＤ１０）。
【００３０】
Ｔ３の値がまだ「０」に達していない場合にはこのフローチャートを終了してメインルーチンに戻るが、Ｔ３の値が「０」に達したときは、せりふの歌詞表示を消去し（ステップＳＤ１１）、バッファ内にあるせりふの歌詞行で「表示済」のフラグのものを削除する（ステップＳＤ１２）。そして、フラグＳＦを「０」にリセットして（ステップＳＤ１３）、このフローチャートを終了してメインルーチンに戻る。
【００３１】
以上のように、この実施形態によれば、ＣＰＵ１１は、カラオケの文字列のうち、歌詞やせりふのカラーの表示データをモノクロの表示データに変換すると共に、カラーの表示データの表示画面のフォーマットをリモコン装置１の小さい画面のフォーマットに変換し、その変換した表示データをリモコン装置１のモノクロのＬＣＤ表示部３に出力する。
したがって、表示対象となるモノクロのリモコン装置１の表示形態がカラーのＴＶ部１９の表示形態と大きく異なる場合でも、カラーの表示データを表示できる。
【００３２】
この場合において、ＣＰＵ１１は、変換した表示データをリモコン装置のＬＣＤ表示部３に無線信号で送信する。
したがって、送信するデータ量を大幅に削減するので、送信時間を短縮することができる。
【００３３】
なお、上記実施形態においては、リモコン装置１に送信すべき文字列がカラーの場合にはモノクロに変換するようにしたが、送信すべき文字列が白および黒の２値でなく、灰色のモノクロ階調である場合にも含めて、白黒の２値の文字列に変換するようにしてもよい。この場合には、さらに文字の認識度が高くなる。
【００３４】
また、上記実施形態においては、カラオケシステムを例に採って情報処理装置の発明、すなわち物の発明について説明したが、情報処理装置内にフラッシュＲＯＭなどの不揮発性メモリを設けて、ＣＤ−ＲＯＭやＦＤ（フレキシブルディスク）に記憶されている情報処理のプログラム、あるいは、インターネットなどのネットワークを介してダウンロードした情報処理のプログラムを、その不揮発性メモリにインストールして、ＣＰＵ１１が実行する構成も可能であることはいうまでもない。この場合には、プログラムの発明、記録媒体の発明、および、情報処理方法の発明を実現する。
【００３５】
すなわち、そのプログラムの発明は、
文字や図形を含む画像のカラーの表示データをモノクロの表示データに変換すると共に、当該カラーの表示データの表示画面のフォーマットを他の異なる表示画面のフォーマットに変換するステップＡと、前記ステップＡによって変換された表示データを前記異なる表示画面を有するモノクロの表示手段に出力するステップＢと、をコンピュータに実行させる。
【図面の簡単な説明】
【００３６】
【図１】本発明の実施形態におけるカラオケシステムのリモコン装置の外観図。
【図２】本発明の実施形態におけるカラオケシステムの構成を示すブロック図。
【図３】図１のリモコン装置１のＬＣＤ表示部３に表示される文字の表示フォーマットを示す図。
【図４】実施形態におけるカラオケの歌詞の文字やその他の文字を含む歌詞イベントのデータを示す図。
【図５】図２のＣＰＵのメインルーチンのフローチャート。
【図６】図５のメインルーチンにおける演奏処理のフローチャート。
【図７】図６に続く演奏処理のフローチャート。
【図８】図６の演奏処理におけるＬＣＤ表示処理のフローチャート。
【図９】図８に続くＬＣＤ表示処理のフローチャート。
【図１０】図８に続くＬＣＤ表示処理のフローチャート。
【図１１】図８に続くＬＣＤ表示処理のフローチャート。
【図１２】図２のＣＰＵのタイマインタラプトのフローチャート。
【符号の説明】
【００３７】
１  リモコン装置
２  スイッチ
３  表示部
１１  ＣＰＵ
１３  プログラムメモリ
１４  ワークメモリ
１５  曲データメモリ
１６  ＦＭ受信部
１７  ＡＶ出力部
１８  マイク
１９  ＴＶ部
２０  音源
【図１】
2008116516.tif 000003
【図２】
2008116516.tif 000004
【図３】
2008116516.tif 000005
【図４】
2008116516.tif 000006
【図５】
2008116516.tif 000007
【図６】
2008116516.tif 000008
【図７】
2008116516.tif 000009
【図８】
2008116516.tif 000010
【図９】
2008116516.tif 000011
【図１０】
2008116516.tif 000012
【図１１】
2008116516.tif 000013
【図１２】
2008116516.tif 000014